(57)【要約】【課題】  設置する状況に合わせて形状を変化させることができ、デザイン性にも優れた物掛け具を提供する。【解決手段】  本発明の物掛け具１は、貫通孔３１が長手方向に沿って複数形成された複数枚の連結板３と、連結板３を壁面等に固着する複数の固着具４と、複数個のフック５、６と、を備え、固着具４は、連結板３に固定する固定手段としての取付具４２と、連結板３を壁等に固着する固着手段としての吸盤４１と、を有し、複数枚の連結板３における任意の貫通孔３１同士を重合させ、固着具４で重合状態を保持しつつ壁面等に固着し、複数枚の連結板３における所望の貫通孔３１にフック５を取り付けて使用するものである。【選択図】  図１
2013192690.tif 000002
【特許請求の範囲】
【請求項１】
貫通孔が長手方向に沿って複数形成された複数枚の連結板と、該連結板を壁面等に固着する複数の固着具と、複数個のフックと、を備え、
前記固着具は、前記連結板に取り付けるための取付手段と、前記連結板を壁等に固着するための固着手段と、を有し、
前記複数枚の連結板における任意の貫通孔同士を重合させ、前記固着具で重合状態を保持しつつ前記壁面等に固着し、前記複数枚の連結板における所望の貫通孔に前記フックを取り付けて使用することを特徴とする物掛け具。
【請求項２】
前記固着具は、前記フックが取り付けられる貫挿孔を備えていることを特徴とする請求項１に記載の物掛け具。
【請求項３】
前記固着具は、前記取付手段と前記固着手段とが異なる部材により形成されていることを特徴とする請求項１又は請求項２に記載の物掛け具。
【請求項４】
前記固着具の固着手段が吸盤であることを特徴とする請求項１乃至請求項３のいずれか１項に記載の物掛け具。
【請求項５】
前記固定手段を構成する部材には、頭部と、該頭部の一面から一方向に延在する軸棒とが形成され、
前記固着手段を構成する部材には、前記軸棒が挿入される軸受孔が形成され、
前記連結板の貫通孔に前記軸棒を貫通させ、該軸棒の先端を前記軸受孔に嵌入させることで前記固着具と前記連結板とが固定されることを特徴とする請求項３又は請求項４に記載の物掛け具。
【発明の詳細な説明】
【技術分野】
【０００１】
本発明は、物掛け具に関する。
【背景技術】
【０００２】
家庭、職場、店舗などあらゆるところで簡単に物を掛けることができる物掛け具が重宝されている。物掛け具としては多種多様の物があるが、中でも壁面等に簡単に取り付けられる物として、吸盤を用いた物や磁石を用いた物が頻繁に使用されており、多くの提案もなされている。
【０００３】
例えば、特許文献１では、吸盤と、複数のフックが面上に並設された物掛け板と、を組み合わせた物掛け具の提案がなされている。この提案によれば、２個の吸盤で物掛け板を壁面等に容易に固定できる。
【０００４】
また、特許文献２では、２個の吸盤の間を鎖で繋いだ物掛け具の提案がなされている。この提案によれば、２個の吸盤の間を繋ぐ鎖の長さを自由に変更することができ、所望の鎖にフックを掛けたり、ハンガーを掛けたりでき機能性に優れた物掛け具を提供できる。
【先行技術文献】
【特許文献】
【０００５】
【特許文献１】実用新案公報昭４０−１２２８７
【特許文献２】公開実用新案公報昭５３−１２２２２３
【発明の概要】
【発明が解決しようとする課題】
【０００６】
上述したように、吸盤や磁石を使用した物掛け具は多種多様に存在する。しかし、デザイン性、機能性のいずれの面でもさらなる創意工夫が可能である。本発明は、複数の固着具と、複数の連結板と、複数のフックと、を自由に組み合わせ可能とすることにより、設置する状況に合わせて形状を変化させることができ、機能性及びデザイン性に優れた物掛け具を提供することを目的としている。
【課題を解決するための手段】
【０００７】
本発明の物掛け具は、貫通孔が長手方向に沿って複数形成された複数枚の連結板と、該連結板を壁面等に固着する複数の固着具と、複数個のフックと、を備え、前記固着具は、前記連結板に取り付けるための取付手段と、前記連結板を壁等に固着するための固着手段と、を有し、前記複数枚の連結板における任意の貫通孔同士を重合させ、前記固着具で重合状態を保持しつつ前記壁面等に固着し、前記複数枚の連結板における所望の貫通孔に前記フックを取り付けて使用することを特徴とする。
【発明の効果】
【０００８】
本発明によれば、複数の固着具と、複数の連結板と、複数のフックと、を自由に組み合わせ可能とすることにより、設置する状況に合わせて形状を変化させることができ、機能性及びデザイン性に優れた物掛け具を提供できる。
【図面の簡単な説明】
【０００９】
【図１】本発明の実施形態における物掛け具の正面図である。
【図２】上記物掛け具における連結板の正面図及び側面図である。
【図３】上記物掛け具における固着具の正面図及び側面図である。
【図４】上記物掛け具における第一のフックと第二のフックの正面図及び側面図である。
【図５】図１におけるＡ−Ａ’断面の端面図である。
【図６】本発明の他の実施形態における物掛け具の正面図である。
【図７】図６におけるＢ−Ｂ’断面の端面図である。
【発明を実施するための形態】
【００１０】
以下、本発明の実施形態を図に基づいて詳細に述べる。図１は、本実施形態における物掛け具１の正面図である。本実施形態の物掛け具１は、図１に示すように、３枚の連結板３と、４組の固着具４と、６個の第一のフック５と、４個の第二のフック６と、を備える。この物掛け具１は、異なる連結板３における所望の貫通孔３１同士を重合させ（同一の軸上で重ね合わせ）、固着具４で重合状態を保持しつつ壁面等に固着し、他の貫通孔３１や固着具４に第一のフック５及び第二のフック６を取り付け、フック５、６に物を掛けて使用する。すなわち、物掛け具１は、複数枚の連結板３を自由に組み合わせることができ、使用者のアイデア次第で様々な形状に変形可能である。以下、さらに詳細に述べる。なお、以下の説明においては、壁面が位置する方向を後方、後方と対向する側を前方として述べる。
【００１１】
連結板３は、図２（ａ）及び（ｂ）に示すように、角を丸く形成した細長い板状体であり、長手方向に沿って４個の貫通孔３１を備えている。この貫通孔３１は、固着具４を取り付けるときや第一のフック５を取り付けるときに使用される。なお、各連結板３に４個の貫通孔３１を形成しているがこの数に限定されるものではない。また、連結板３の材質は、アルミや樹脂など強度がありかつ軽いものであれば特に限定されるものではない。
【００１２】
固着具４は、壁面等に物掛け具１を固着する機能と、連結板３に取り付けるための機能とを備えている。この固着具４は、図３（ａ）及び（ｂ）に示すように、壁などに連結板３を固着する吸盤４１と、連結板３の貫通孔３１を貫通し吸盤４１に嵌合することで連結板３に吸盤４１を取り付ける取付具４２と、からなる。
【００１３】
吸盤４１は、前方中心部に前方に向かって膨出する膨出部４１ａを備えており、膨出部４１ａの中心に後述する取付具４２の軸棒４２ｂが嵌入される軸受孔４１ｂが形成されている。この吸盤４１は、弾性を有した樹脂等で形成されている。
【００１４】
取付具４２は、前方に位置する円錐台形状の頭部４２ａと、頭部４２ａの後端面の中心から後方に向かって延在する軸棒４２ｂと、を備える。頭部４２ａの側面には、第二のフック６が貫挿される貫挿孔４２ｃが前後方向と直交する方向に頭部４２ａを貫いて形成されている。軸棒４２ｂの外径は、吸盤４１の軸受け孔４１ｂの径と略同一に形成されており、軸棒４２ｂを軸受け孔４１ｂに挿入することで取付具４２は吸盤４１に嵌合される。この取付具４２は、物が掛けられた状態の連結板３の重みに軸棒４２ｂが耐え得る程度の強度がある樹脂や金属、ガラスなどによって形成されている。なお、頭部４２ａの形状を円錐台形状としたが、この形状に限定されるものではない。
【００１５】
第一のフック５は、連結板３の貫通孔３１に装着して使用するフックである。この第一のフック５は、図４（ａ）及び（ｂ）に示すように、上方に連結板３の貫通孔３１に掛けるための掛止部５１を備え、下方に物を掛けるためのフック部５２を備えている。掛止部５１及びフック部５２の先端（すなわち、第一のフック５の両先端）は、球状に膨出した形状とされている。膨出している部分の直径は、連結板３の貫通孔３１の直径よりも僅かに小さく形成されている。
【００１６】
第二のフック６は、取付具４２の貫挿孔４２ｃに装着して使用するフックである。この第二のフック６は、上方に取付具４２の貫挿孔４２ｃに装着するための装着部６１を備え、下方に物を掛けるためのフック部６２を備えている。装着部６１は、取付具４２から外れ難くするために、一部が開いた略三角形状に形成されている。また、フック部６２の先端は球状に膨出した形状とされている。
【００１７】
この物掛け具１は、図５に示すように、異なる連結板３の所望の貫通孔３１同士を重合させ、重合された貫通孔３１に取付具４２の軸棒４２ｂを貫通させ、軸棒４２ｂの先端を吸盤４１の軸受孔４１ｂに嵌入することで異なる連結板３同士が連結されている。そして、物掛け具１は、吸盤４１を吸着させることで壁面等に取り付けられている。また、物掛け具１は、連結板３の貫通孔３１に第一のフック５が、取付具４２の貫挿孔４２ｃに第二のフック６が取り付けられている。
【００１８】
連結板３に固着具４を取り付けた状態においては、取付具４２の軸棒４２ｂの周りで連結板３が回動自在である。すなわち、連結板３同士を連結させた後、壁面等に固着するとき、連結部で連結板３を回動させることで所望の形状で物掛け具１を壁面等に固着させることができる。
【００１９】
このように、本実施形態における物掛け具１は、複数の連結板３を所望の貫通孔３１同士を重合させて固着具４で連結することにより、自由な形状、自由な角度で連結板３を組み合わせることができる。また、第一のフック５や第二のフック６も連結板３の貫通孔３１や取付具４２の貫挿孔４２ｃに所望の個数取り付けることができるため、所望の個数のフックを設けることができる。
【００２０】
よって、本実施形態によれば、物掛け具１を取り付けるスペースに合わせて連結板３の組合せを変更する、あるいは、好みのデザインとなるように組合せを変更することで、機能性が高く、しかもデザイン性に優れた物掛け具１を提供できることとなる。また、夫々の連結板３を２個の吸盤４１で壁面等に固着するため、耐荷重の性能も優れた物掛け具１を提供できることとなる。
【００２１】
なお、連結板３の枚数は３枚に限定されるものでなく、２枚であっても４枚以上であってもよく、自由に増減することができる。また、固着具４の組数や第一のフック５の個数も適宜変更可能である。第二のフック６に関しては、固着具４の数と同数となる。そして、第一のフック５や第二のフック６は必ずしも全てを使用する必要はなく、必要な個数だけユーザーが取り付ければよい。
【００２２】
次に、本発明における他の実施例について述べる。上述した実施形態では、固着具４を吸盤４１と取付具４２の２つの部材で構成していたが、一つの部材で構成することもできる。すなわち、本実施形態における固着具４は、図６及び図７に示すように、吸盤部４５と、吸盤部４５の前方中心部から前方に膨出する膨出部４６と、突出部４６の中心から前方に延在する軸棒４７と、を備える。軸棒４７の正面側端部近傍には、第二のフック６が貫挿する貫挿孔４８が前後方向と直交する方向に軸棒４７を貫いて形成されている。
【００２３】
そして、連結板３を連結する場合、異なる連結板３の貫通孔３１同士を重合させ、重合した貫通孔３１に固着具４の軸棒４７を挿入し、固着具４の貫挿孔４８に第二のフック６を取り付ける。このような構成とした場合も、連結板３は、第二のフック６によって軸棒４７から外れることを禁止されるため、連結板３同士を確実に連結することができる。
【００２４】
また、これまでの実施形態では、壁面等に吸盤を用いて吸着させる構成について述べたがこれに限定されるものでもなく、磁石を用いて磁着させる構成や、両面テープなどで粘着させる構成、螺子やビスで固定する構成としてもよい。すなわち、本発明の物掛け具１は、複数の連結板３と、連結板３同士が連結した状態で保持しつつ壁面等に固着させる固着具４と、物を掛けるためのフックと、を備えていればよく、あらゆる設計変更が可能である。なお、吸着、磁着又は粘着で壁面等に固着させる構成は、壁面等を傷つけること無く物掛け具1を固定できるため好適である。
【産業上の利用可能性】
【００２５】
本発明の物掛け具は、台所の壁、冷蔵庫の扉、洗面所の鏡、浴室の壁等、滑らかな平面が在する箇所であればあらゆるところで使用可能である。
【符号の説明】
【００２６】
１  物掛け具
３  連結板
４  固着具
５  第一のフック
６  第二のフック
３１  貫通孔
４１  吸盤
４１ａ  膨出部
４１ｂ  軸受孔
４２  取付具
４２ａ  頭部
４２ｂ  軸棒
４２ｃ  貫挿孔
４５  吸盤部
４６  膨出部
４７  軸棒
４８  貫挿孔
５１  掛止部
５２  フック部
６１  装着部
６２  フック部
【図１】
2013192690.tif 000003
【図２】
2013192690.tif 000004
【図３】
2013192690.tif 000005
【図４】
2013192690.tif 000006
【図５】
2013192690.tif 000007
【図６】
2013192690.tif 000008
【図７】
2013192690.tif 000009